(57)【要約】【課題】  リンク部材の下端部と対向する部分の第１シート部材に、回路パターンと同じ厚さのダミーパターンを形成して、キートップ操作時のリンク部材のガタ付きをなくすることが可能なキーボードスイッチを提供すること。【解決手段】  それぞれのリンク部材５、６、７は、キートップ２を支持する上端部５ａ、６ａ、７ａと反対側の下端部側５ｇ、６ｇ、７ｇが、第２シート部材１０の上面に回動可能またはスライド可能に、ベースプレートに形成した支持部１１ａ、１１ｂ、１１ｃに支持され、第１シート部材９には、それぞれの下端部５ｇ、６ｇ、７ｇと対向する部分に、回路パターン９ｃと同じ厚さのダミーパターン９ｄを形成した。【選択図】        図１
2005056643.tif 000002
【特許請求の範囲】
【請求項１】
キートップと、このキートップを昇降自在に支持するリンク部材と、前記キートップを上方に弾性付勢する弾性部材と、前記キートップの昇降操作に伴ってスイッチ回路を切換可能な可動接点と固定接点とを備え、前記固定接点は、第１シートの上面に形成されると共に所定厚さの回路パターンが引き出しされ、前記第１シート部材は、上面に第２シート部材を積層した状態でベースプレートに載置され、
前記リンク部材は、前記キートップを支持する上端部と反対側の下端部側が、前記第２シート部材の上面に回動可能またはスライド可能に、前記ベースプレートに形成した支持部に支持され、
前記第１シート部材には、前記リンク部材の前記下端部と対向する部分に、前記回路パターンと同じ厚さのダミーパターンを形成したことを特徴とするキーボードスイッチ。
【請求項２】
前記ダミーパターンは、前記回路パターンと同じ導電性部材からなることを特徴とする請求項１記載のキーボードスイッチ。
【請求項３】
前記ダミーパターンは、幅寸法が前記回路パターンと同じに形成されて、前記リンク部材の前記下端部と対向する部分の前記第１シート部材に少なくとも１本形成したことを特徴とする請求項１または２記載のキーボードスイッチ。
【請求項４】
前記固定接点は、前記可動接点が当接することにより導通可能な一対の接点部からなり、この一対の接点部から前記回路パターンがそれぞれ引き出し形成されていることを特徴とする請求項１乃至３のいずれかに記載のキーボードスイッチ。
【請求項５】
前記可動接点は、前記弾性部材側に形成したことを特徴とする請求項１乃至４のいずれかに記載のキーボードスイッチ。
【請求項６】
前記第１シート部材上には、前記第２シート部材を介して第３シート部材が積層され、前記固定接点と対向する位置の前記第３シート部材に前記可動接点を形成し、前記リンク部材の下端部側が前記第３シート部材を介して前記第２シート部材の上面に回動あるいはスライド可能となっていることを特徴とする請求項１乃至４のいずれかに記載のキーボードスイッチ。  
【発明の詳細な説明】
【技術分野】
【０００１】
本発明はキーボードスイッチに係わり、特にパソコン等の入力機器に使用して好適なキーボードスイッチに関する。
【背景技術】
【０００２】
従来、パソコン等の入力機器に使用されるキーボードスイッチ２１は、図１５、図１６に示すように、最下部には、アルミ等の金属板からなるベースプレート２２が配設され、このベースプレート２２の図示右側には、第１の係合部２２ａが突出形成されている。
前記第１係合部２２ａには、２つの係合壁２２ｂ、２２ｂが、係合溝２２ｃを挟んで互いに対向して形成されている。また、第１係合部２２ａの図示左側には、一方側が開放されて略Ｌ字状の第２係合部２２ｄが形成されている。
前記第１と第２の係合部２２ａ、２２ｄは、ベースプレート２の図示上下にそれぞれ対向して設けられている。
【０００３】
前記ベースプレート２２上に載置されたメンブレンスイッチ２３は、第３シート部材２３ａの下面に設けた可動接点２３ｂを、第１シート部材２３ｃの上面に設けた一対の固定接点２３ｄ、２３ｄに対向せしめ、且つ両シート２３ａ、２３ｃ間に第２シート部材２３ｅを介在させて構成されている。
また、固定接点２３ｄ、２３ｄは厚さが略５０μｍに形成され、それぞれの固定接点２３ｄ、２３ｄからは、回路パターン２３ｆがそれぞれ引き出し形成されている。
そして、メンブレンスイッチ２３には、第１と第２の係合部２２ａ、２２ｄが貫通可能な孔（図示せず）がそれぞれ形成され、この孔に第１と第２の係合部２２ａ、２２ｄが挿入されて、メンブレンスイッチ２３がベースプレート２２上に載置されている。
【０００４】
また、メンブレンスイッチ２３上には、パンタグラフ状に組み合わされた第１と第２のリンク部材２４、２５が配設されている。前記第１リンク部材２４は、平面視の形状がコ字状に形成され、図示右側の下端部２４ａから第１軸部２４ｂが突出形成されている。
前記第１リンク部材２４の図示左側の上端部２４ｃには、第２軸部２４ｄが突出形成されている。
また、第１リンク部材２４のコ字状の内側面には、軸支部２４ｅが形成されている。
また、第２リンク部材２５は、平面視の形状が略矩形に形成され、図示右側の上端部２５ａからは、第１軸部２５ｂ、２５ｂが突出形成され、図示左側の下端部２５ｃからは、第２軸部２５ｄ、２５ｄが突出形成されている。
【０００５】
前記第２リンク部材２５には、略中央部に後述する弾性部材２７が位置して挿通可能な円形状の丸孔２５ｅが形成されている。
また、第２リンク部材２５の側面からは、第１リンク部材２４の軸止部２４ｅに嵌合可能な軸支部２５ｆ、２５ｆが突出形成されている。
そして、第２リンク部材２５の軸支部２５ｆを第１リンク部材２４の軸支部２４ｅに嵌合させて組み合わせることで、第１と第２のリンク部材２４、２５がパンタグラフ状に組み合わされている。
また、第１リンク部材２４の第１軸部２４ｂがベースプレート２２の第１係合部２２ａに回動可能に支持され、第２リンク部材２５の第２軸部２５ｂがベースプレート２２の第２係合部２２ｂにスライド可能に支持されている。
【０００６】
また、第１と第２のリンク部材２４、２５の上部にはキートップ２６が支持されており、このキートップ２６は、その裏面２６ａの図示右側に、第１係合部２６ｂが２つの係合壁２６ｃ、５６ｃを有して形成され、第１係合部２６ｂに第２リンク部材２５の第１軸部２５ｂが回動自在に係合している。
また、第１係合部２６ｂの図示左側には、一方側が開放されて略Ｌ字状の第２係合部２６ｄが形成され、この第２係合部２６ｄに第１リンク部材５４の第２軸部２４ｄがスライド自在に係合している。
【０００７】
また、キートップ２６の裏面２６ａの略中央部には、キートップ２６を上方に弾性付勢するゴムからなる弾性部材２７が配設されている。この弾性部材２７は、ベースプレート２２上のメンブレンスイッチ２３上に接着剤等で取り付けられて載置されている。
前記弾性部材２７は、内部に形成されたドーム状の空洞部２７ａの天井部に、下方に突出する凸部２７ｂが形成されている。
そして、弾性部材２７は、上端部２７ｃがキートップ２６の裏面２６ａに位置決めされている。
【０００８】
前述のような従来のキーボードスイッチ２１は、キートップ２６を下方に押し下げると、パンタグラフ状の第１と第２のリンク部材２４、２５が、それぞれの係支部２４ｅ、２５ｆを支点として回動する。
それと同時に、降下するキートップ２６が弾性部材２７を変形させることにより、空洞部２７ａ内の凸部２７ｂが降下して、第３シート部材２３ａを押圧する。
そして、可動接点２３ｂが固定接点２３ｄ、２３ｄと接触してスイッチ回路がＯＮして切り換わる。
【０００９】
しかる後、キートップ２６の押圧を解除すると、弾性部材２７の弾性力により、キートップ２６が上方の初期位置に戻ると共に、第１、第２リンク部材２４、２５も上昇する。そして、メンブレンスイッチ２３の第３シート部材２３ａは、自己の復元力で初期状態に戻り、第１シート部材２３ｃとの接触が離れて、スイッチ回路がＯＦＦに切り換わる。
【００１０】
【特許文献１】特開平１２−１４８３５６号公報
【発明の開示】
【発明が解決しようとする課題】
【００１１】
しかし、前述したような従来のキーボードスイッチ２１は、それぞれの固定接点２３ｄ、２３ｄから引き出される回路パターン２３ｆを、設計上の都合等で、図１６に示すように、第２リンク部材２５の下端部２５ｃと対向する部分の第１シート部材２３ｃに形成しなければいけないことがある。
そのために、第２リンク部材２５の第２軸部２５ｄを支持する第２係合部２２ｄのクリアランスを大きくして、厚さが略５０μｍの回路パターン２３ｆ上に位置する第２軸部２５ｄを第２係合部２２ｄに嵌合させていた。
【００１２】
その結果、設計上の都合等で、下端部２５ｃと対向する部分に回路パターン２３ｆを形成しない場合には、第２軸部２５ｄと第２係合部２２ｄとに、回路パターン２３ｆの厚さ分のガタが発生する。
このような第２軸部２５ｄにガタが発生すると、キートップ２６を押圧操作した時に、ガタが操作者の指に伝わって、操作フィーリングが悪くなるおそれがあった。
本発明は前述したような問題点を解決するために、リンク部材の下端部と対向する部分の第１シート部材に、回路パターンと同じ厚さのダミーパターンを形成して、キートップ操作時のリンク部材のガタ付きをなくすることが可能なキーボードスイッチを提供することを目的とする。
【課題を解決するための手段】
【００１３】
前記課題を解決するための第１の解決手段として本発明のキーボードスイッチは、キートップと、このキートップを昇降自在に支持するリンク部材と、前記キートップを上方に弾性付勢する弾性部材と、前記キートップの昇降操作に伴ってスイッチ回路を切換可能な可動接点と固定接点とを備え、前記固定接点は、第１シートの上面に形成されると共に所定厚さの回路パターンが引き出しされ、前記第１シート部材は、上面に第２シート部材を積層した状態でベースプレートに載置され、前記リンク部材は、前記キートップを支持する上端部と反対側の下端部側が、前記第２シート部材の上面に回動可能またはスライド可能に、前記ベースプレートに形成した支持部に支持され、
前記第１シート部材には、前記リンク部材の前記下端部と対向する部分に、前記回路パターンと同じ厚さのダミーパターンを形成したことを特徴とする。
【００１４】
また、前記課題を解決するための第２の解決手段として、前記ダミーパターンは、前記回路パターンと同じ導電性部材からなることを特徴とする。
【００１５】
また、前記課題を解決するための第３の解決手段として、前記ダミーパターンは、幅寸法が前記回路パターンと同じに形成されて、前記リンク部材の前記下端部と対向する部分の前記第１シート部材に少なくとも１本形成したことを特徴とする。
【００１６】
また、前記課題を解決するための第４の解決手段として、前記固定接点は、前記可動接点が当接することにより導通可能な一対の接点部からなり、この一対の接点部から前記回路パターンがそれぞれ引き出し形成されていることを特徴とする。
【００１７】
また、前記課題を解決するための第５の解決手段として、前記可動接点は、前記弾性部材側に形成したことを特徴とする。
【００１８】
また、前記課題を解決するための第６の解決手段として、前記第１シート部材上には、前記第２シート部材を介して第３シート部材が積層され、前記固定接点と対向する位置の前記第３シート部材に前記可動接点を形成し、前記リンク部材の下端部側が前記第３シート部材を介して前記第２シート部材の上面に回動あるいはスライド可能となっていることを特徴とする。
【発明の効果】
【００１９】
本発明に係わる第１シート部材には、リンク部材の下端部と対向する部分に、回路パターンと同じ厚さのダミーパターンを形成したので、リンク部材の下端部と対向する部分に、回路パターンがあっても、なくても、リンク部材の下端部にガタが発生するのを防止できる。
そのために、キートップを押圧操作する時に、操作者の指に感じる操作フィーリングを向上させることができる。
【００２０】
また、ダミーパターンは、回路パターンと同じ導電性部材からなるので、回路パターンを印刷形成する時にダミーパターンを同時に形成することができる。
【００２１】
また、ダミーパターンは、幅寸法が回路パターンと同じに形成されて、リンク部材の下端部と対向する部分の第１シート部材に少なくとも１本形成したので、回路パターンとダミーパターンとを兼ねることができ、設計の都合上リンク部材の下端部と対向する部分に回路パターンがあっても、なくても、リンク部材の下端部にガタが発生するのを防止できる。
【００２２】
また、前記固定接点は、可動接点が当接することにより導通可能な一対の接点部からなり、この一対の接点部から回路パターンがそれぞれ引き出し形成されているので、可動接点側から回路パターンを引き出すことがなく、簡単なスイッチ回路とすることができる。
【００２３】
また、可動接点は、弾性部材側に形成したので、部品点数を削減することができる。
【００２４】
また、第１シート部材上には、第２シート部材を介して第３シート部材が積層され、固定接点と対向する位置の第３シート部材に可動接点を形成し、リンク部材の下端部側が第３シート部材を介して第２シート部材の上面に回動あるいはスライド可能となっているので、第３シート部材で固定接点上を覆って、接点部にゴミ等が侵入するのを防止できる。
【発明を実施するための最良の形態】
【００２５】
本発明は、パーソナルコンピュータ等の入出力機器に使用されるキーボード装置あるいは入力スイッチ装置に用いて好適なキーボードスイッチに関し、本発明のキーボードスイッチ１を図１〜図１４に基づいて説明する。
図１は本発明に関するキーボードスイッチの平面図であり、図２は図１の正面図であり、図３は図１の右側面図であり、図１の斜視図であり、図５は本発明に係わるキートップの上面図であり、図６は図５の６−６断面図であり、図７は図５の下面図であり、図８は本発明に係わる第１リンク部材の平面図であり、図９は図８の右側面図であり、図１０は本発明に係わる第２リンク部材の平面図であり、図１１は図１０の右側面図であり、図１２は本発明に係わる第３リンク部材の平面図であり、図１３は図１２の右側面図であり、図１４は本発明に係わるダミーパターンを説明する平面図である。
【００２６】
まず、本発明のキーボードスイッチ１は、図１〜図４に示すように、最上部にキートップ２が配設されている。このキートップ２は、樹脂材料等からなり、図５〜図７に示すように、外形が略矩形状に形成され、外周部が図６に示すように、ゆるやかなテーパ状の周壁２ａに囲まれて、裏面側が凹状に形成されている。
また、キートップ２には、凹状の裏面の中央部付近に、６方向に所定寸法で放射状に延長形成された位置決め部２ｂが所定の高さ寸法で下方側に突出形成されている。前記位置決め部２ｂに後述する弾性部材８の位置決め部８ａを位置させることにより、キートップ２を位置決め可能になっている。  
【００２７】
また、図７に示すように、キートップ２の凹状の裏面で、位置決め部２ｂを挟んだ中心線Ａ上の上下部分には、一対の第１支持壁３、３が互いに対向して所定高さで突出形成されている。この一対の第１支持壁３、３には、図６に示すように、角溝状の第１、第２スライド支持部３ａ、３ｂが、仕切壁３ｃを挟んで隣合わせて所定の幅寸法Ｂで形成されている。
そして第１スライド支持部３ａには、後述する第１リンク部材５の第１軸部５ｅが支持されてスライド自在になるようになっている。また、第２スライド支持部３ｂには、後述する第２リンク部材６の第１軸部６ｅがスライド自在に支持可能になっている。
また、一対の第１支持壁３、３には、互いに対向する部分のコーナ部が所定寸法で面取りされて面取り部３ｄが形成されている。
【００２８】
また、キートップ２の裏面で、中心線Ａを挟んだ左右には、図６に示すように、互いに対向して一対の第２支持壁４、４が所定高さで、略Ｌ字状に突出形成されている。この一対の第２支持壁４、４には、図６に示すように、略Ｌ字状の第３スライド支持部４ａが形成され、この第３スライド支持部４ａに後述する第３リンク部材７の第１軸部７ｅがスライド自在に支持可能になっている。
また、一対の第１支持壁４、４には、互いに対向する部分のコーナ部が所定寸法で面取りされて面取り部４ｂが形成されている。
【００２９】
また、互いに対向して形成された第１スライド支持部３ａ、３ａにスライド自在に支持される第１リンク部材５は、図８に示すように、上端部５ａには、略半円状の切り欠き部５ｂが形成され、この切り欠き部５ｂを挟んだ左右の上端部５ａ、５ａと直交する幅方向に、互いに対向して一辺部５ｃと他辺部５ｄとが形成されている。
【００３０】
そして、上端部５ａ側の一辺部５ｃと他辺部５ｄとには、それぞれ外向きに突出する第１軸部５ｅ、５ｅが形成されている。また、第１リンク部材５は、図９に示すように、厚さが第１軸部５ｅの直径寸法より厚く形成され、第１軸部５ｅの先端部に所定寸法の面取り部５ｆが形成されて、第１軸部５ｅの先端部がテーパ状になっている。
また、第１リンク部材５は、上端部５ａと対向する図示下方側の下端部５ｇ側の一辺部５ｃと他辺部５ｄとに、第１軸部５ｅと同方向に突出して第２軸部５ｈが形成されている。
【００３１】
また、第２スライド支持部３ｂ、３ｂにスライド自在に支持可能な第２リンク部材６は、後述する弾性部材８を挟んで、第１リンク部材５と対向する側に配設されて、図１０、図１１に示すように、第１リンク部材５とは左右対象形状に形成されている。
このような第２リンク部材６は、図１０に示すように、下部側の上端部６ａに、略半円状の切り欠き部６ｂが形成され、この切り欠き部６ｂを挟んだ左右の上端部６ａ、６ａと直交する幅方向に互いに対向して一辺部６ｃと他辺部６ｄとが形成されている。
【００３２】
前記上端部６ａ側の一辺部６ｃと他辺部６ｄとには、それぞれ外向きに突出して第１軸部６ｅ、６ｅが形成されている。また、第２リンク部材６は、図１１に示すように、厚さが第１軸部６ｅの直径寸法より厚く形成され、第１軸部６ｅの先端部が所定寸法で面取りされて面取り部６ｆが形成されて、第１軸部６ｅの先端部がテーパ状になっている。
また、第２リンク部材６は、上端部６ａと対向する図示上方側の下端部６ｇ側の一辺部６ｃと他辺部６ｄとに、第１軸部６ｅと同方向に突出して第２軸部６ｈが形成されている。
前述したような第１、第２リンク部材５、６は、図１４に示すように、半円状の切り欠き部５ｂ、６ｂを互いに対向させて配設されている。
【００３３】
また、キートップ２の第３スライド支持部４ａ、４ａにスライド自在に支持可能な第３リンク部材７は、図１４に示す第１、第２リンク部材５、６の外側で図示上部側に配設されている。
前記第３リンク部材７は、図１２に示すように、図示下部側の上端部７ａに略コ字状の切り欠き部７ｂが形成され、この切り欠き部７ｂを挟んだ左右の上端部７ａ、７ａと直交する方向に互いに対向して一辺部７ｃと他辺部７ｄとが形成されている。
そして、上端部７ａ側の一辺部７ｃと他辺部７ｄとには、それぞれ外向きに突出する第１軸部７ｅ、７ｅが形成されている。また、第３リンク部材７は、図１３に示すように、厚さが第１軸部７ｅの直径寸法より厚く形成され、第１軸部７ｅの先端部が所定寸法で面取りされて面取り部７ｆが形成され、第１軸部７ｅの先端部がテーパ状になっている。
【００３４】
また、第３リンク部材７は、上端部７ａと対向する図示上方の下端部７ｇ側の一辺部７ｃと他辺部７ｄとには、第１軸部７ｅと同方向に突出させて第２軸部７ｈが形成されている。
前記下端部７ｇは、一辺部７ｃと他辺部７ｄの第２軸部７ｈより外側（図示上方）に突出形成され、この突出する下端部７ｇと第２軸部７ｈとの間に傾斜面７ｊが角度αで形成されている。
そして、第３リンク部材７は、第１、第２軸部７ｅ、７ｈが、第１、第２リンク部材５、６の第１軸部５ｅ、６ｅの突出方向と直交する方向に配設されている。
【００３５】
また、キートップ２の位置決め部２ｂを位置決め可能な弾性部材８は、後述する第１シート部材９の所定位置に接着剤等で接着されて配設されている。
そして、弾性部材８は、図２に示すように、キートップ２を後述するベースプレート１１から寸法Ｃの高さ位置（初期位置）に弾性付勢可能になっている。
前記段性部材８は、内部がドーム状の空洞に形成され、頂部の位置決め部８ａにキートップ２の位置決め部２ｂを位置合わせすることにより、第１、第２、第３リンク部材５、６、７に支持されるキートップ２が、弾性部材８に位置決め可能になっている。
【００３６】
また、弾性部材８は、ドーム状の空洞内部の天井部を下方側に突出させて凸部（図示せず）が形成され、この凸部の下面に導電性膜からなる可動接点（図示せず）が形成されている。
そして、キートップ２を押圧して降下させると、弾性部材８が弾性変形して、可動接点が後述する第１シート部材９に形成した一対の接点部９ａ、９ａからなる固定接点に当接して導通することにより、スイッチ回路が切り換わるようになっている。
【００３７】
また、キートップ２の裏面と対向する側には、図４に示すように、絶縁フィルムからなる第１、第２シート部材９、１０が積層され、この第１、第２シート部材９、１０がアルミニウム等の金属板からなるベースプレート１１に載置されている。前記第１シート部材９の上面には、図１４に示すように、固定接点である一対の接点部９ａ、９ａが所定寸法のスリット部９ｂを挟んで互いに絶縁されて形成され、一対の接点部９ａ、９ａと対向する上方側に可動接点が位置するように弾性部材８が第１シート部材９に接着されている。
【００３８】
また、一対の接点部９ａ、９ａからは、２本の回路パターン９ｃがそれぞれ異なる方向に印刷等で引き出し形成され、１本の回路パターン９ｃは、設計上の都合等で、第１、第２、第３リンク部材５、６、７の下端部５ｇ、６ｇ、７ｇと対向する側に引き出し形成されている。
また、それぞれのリンク部材５、６、７の下端部５ｇ、６ｇ、７ｇと対向する側の第１シート部材９には、回路パターン９ｃと同じ材質の導電性部材からなる破線と２点鎖線とで示すダミーパターン９ｄが、回路パターン９ｃと同じ厚さで形成されている。
【００３９】
そして、図１４において、設計上の都合により、それぞれのリンク部材５、６、７の下端部５ｇ、６ｇ、７ｇが対向する部分に回路パターン９ｃを引き回しする場合には、２点鎖線で示すダミーパターン９ｄの位置に回路パターン９ｃを形成し、ダミーパターン９ｄは破線で示すような１本だけで良い。即ち、ダミーパターン９ｄは、少なくとも１本形成したものであれば良い。
また、それぞれのリンク部材５、６、７の下端部５ｇ、６ｇ、７ｇが対向する部分に回路パターン９ｃが引き回しされない場合には、破線で示すダミーパターン９ｄと２点差線で示すダミーパターン９ｄの２本が形成されている。
【００４０】
前記第１シート部材９には、一対の接点部９ａ、９ａ上を覆うように弾性部材８が接着剤等で固着されている。      
また、第１シート９上には、回路パターン９ｃ及びダミーパターン９ｄ上を覆う第２シート部材１０が積層されている。前記第１、第２シート部材９、１０には、図１４に示すように、後述するベースプレート１１の第１、第２、第３支持部１１ａ、１１ｂ、１１ｃが層通可能な複数の逃げ孔９ｅ、１０ａが形成されている。
また、第２シート部材１０には、第１シート部材９に接着した弾性部材８を層通するための開口部１０ｂが円形状に形成されている。
【００４１】
また、第２シート部材１０を積層した状態の第１シート部材９は、例えばアルミニウム等の金属板からなるベースプレート１１に載置されている。
前記ベースプレート１１には、図１４に示すように、第１、第２リンク部材５、６の第２軸部５ｈ、６ｈを回動自在に支持可能な第１、第２支持部１１ａ、１１ｂが、それぞれ互いに対向して切り起こし形成されている。
また、第３リンク部材７の第２軸部７ｈを回動自在に支持可能な第３支持部１１ｃが、第１、第２支持部１１ａ、１１ｂと直交する方向に、互いに対向して切り起こし形成されている。
そして、第１、第２、第３支持部１１ａ、１１ｂ、１１ｃは、ベースプレート１１上に載置した第１、第２シート部材９、１０の逃げ孔９ｅ、１０ａから、それぞれ上方に層通して直立するようになっている。
【００４２】
前述したような構成の本発明のキーボードスイッチ１の組立は、まず、ベースプレート１１に、弾性部材８を固着した第１シート部材９に、それぞれの逃げ孔９ｅ、１０ａを位置合わせして、第２シート部材１０を積層する。
そして、積層した第１、第２シート部材９、１０のそれぞれの逃げ孔９ｅ、１０ａを第１、第２、第３支持部１１ａ、１１ｂ、１１ｃに位置合わせして挿通することにより、第１、第２シート部材９、１０がベースプレート１１上に載置される。
【００４３】
次に、一対の第１支持部１１ａに第１リンク部材５の第２軸部５ｈ、５ｈを差し込むと共に、一対の第２支持部１１ｂに第２リンク部材６の第２軸部６ｈ、６ｈを差し込んでスナップ係合させる。
すると、第１、第２リンク部材５、６は、それぞれの第２軸部５ｈ、６ｈを支点として、第１軸部５ｅ、６ｅを形成した側の上端部５ａ、６ａ側が回動自在になる。
【００４４】
また、一対の第３支持部１０ｃに第３リンク部材７の第２軸部７ｈ、７ｈをスナップ係合させると、第３リンク部材７が、第２軸部７ｈを支点として、第１軸部７ｅを形成した側の上端部７ａ側が回動自在となる。
そして、それぞれの支持部１１ａ、１１ｂ、１１ｃに、第２軸部５ｈ、６ｈ、７ｈを支持した第１、第２、第３リンク部材５、６、７は、上端部５ａ、６ａ、７ａ側を、図１４に示すように、弾性部材８側に回動させて位置させる。
【００４５】
この時の第１、第２、第３リンク部材５、６、７は、第２シート部材１０の上面に水平状に倒れた状態となる。
次に、キートップ２の位置決め部２ｂを弾性部材８の位置決め部８ａに位置決めした状態で、キートップ２を下方に押圧すると、弾性部材８のドーム状の空洞内部が弾性変形し、キートップ２の第１、第２、第３スライド支持部３ａ、３ｂ、４ａが、第１軸部５ｅ、６ｅ、７ｅ上にそれぞれ位置する。
【００４６】
そして、この状態のキートップ２を更に強く下方に押圧すると、第１、第２支持壁３、４のそれぞれに形成した面取り部３ｄ、４ｂが、第１軸部５ｅ、６ｅ、７ｅのそれぞれの面取り部５ｆ、６ｆ、７ｆにならって降下する。
このことにより、第１、第２、第３リンク部材５、６、７は、それぞれの切り欠き部５ｂ、６ｂ、７ｂが縮まる方向に弾性変形し、キートップ２の第１、第２、第３スライド支持部３ａ、３ｂ、４ａに、第１軸部５ｅ、６ｅ、７ｅが、それぞれスライド自在にスナップ係合される。
その後、キートップ２に加えていた押圧力を解除すると、キートップ２が高さ寸法Ｃの初期位置まで上昇して、本発明のキーボードスイッチ１の組立が終了する。
【００４７】
このように組み立てられた本発明のキーボードスイッチ１の操作を説明すると、高さＣの初期位置にあるキートップ２を押圧操作すると、弾性部材８の空洞内部に形成している可動接点が、第１シート部材９の一対の接点部９ａ、９ａに当接して導通する。
このことにより、スイッチ回路が切り換わり、パーソナルコンピュータ等に所定の入力を行うことができる。
この時の第１、第２、第３リンク部材５、６、７は、それぞれの下端部５ｇ、６ｇ、７ｇ側が、第２シート部材１０上を回動すると共に、それぞれの上端部５ａ、６ａ、７ａが降下して、水平状に倒れた状態となる。
前記キートップ２が降下するときのそれぞれの下端部５ｇ、６ｇ、７ｇは、第２シート部材１０を介して回路パターン９ｃ、及びダミーパターン９ｄ上を回動する。
【００４８】
また、スイッチ回路を切り換え後、キートップ２に加えていた押圧力を解除すると、弾性部材８が自身の弾性力で初期状態に復帰すると共に、キートップ２が寸法Ｃの初期位置まで上昇する。
前記キートップ２の上昇に連動して、水平状に倒れた状態の第１、第２、第３リンク部材５、６、７が、それぞれの上端部５ａ、６ａ、７ａ側が上昇して傾斜状になる。
このような本発明のキーボードスイッチ１は、それぞれのリンク部材５、６、７の下端部５ｇ、６ｇ、７ｇと対向する部分の第１シート部材９に、回路パターン９ｃがある時も、ない時も、回路パターン９ｃと同じ厚さのダミーパターン９ｄが形成されているので、それぞれの支持部１１ａ、１１ｂ、１１ｃに支持した、それぞれの第２軸部５ｈ、６ｈ、７ｈにガタが発生することがない。
そのために、キートップ２を押圧操作する時に、操作者の指に感じる操作フィーリングを向上させることができる。
【００４９】
また、本発明の実施の形態では、可動接点を弾性部材８に形成すると共に、第１、第２の２枚のシート部材９、１０を用いたもので説明したが、第２シート部材１０の上に第３シート部材（図示せず）を積層し、一対の接点部９ａ、９ａからなる固定接点と対向する位置の第３シート部材に可動接点を形成したものでも良い。
このような、３枚のシート部材を積層したキーボードスイッチ（図示せず）は、キートップ２を押圧操作すると、それぞれのリンク部材５、６、７の下端部５ｇ、６ｇ、７ｇが第３シート部材を介して第２シート部材１０の上面で回動する。
そして、弾性部材８の空洞内部の天井部に形成した凸部（図示せず）が第３シート部材を押圧して可動接点が降下し、可動接点が固定接点に導通して、スイッチ回路が切り換わるようになっている。
【００５０】
また、本発明の実施の形態では、それぞれのリンク部材５、６、７の第２軸部５ｈ、６ｈ、７ｈを、それぞれの支持部１１ａ、１１ｂ、１１ｃに回動自在に支持したもので説明したが、第２軸部５ｈ、６ｈ、７ｈを、支持部１１ａ、１１ｂ、１１ｃにスライド自在に支持したものでも良い。
この時のリンク部材５、６、７の第１軸部５ｅ、６ｅ、７ｅは、キートップ２側に回動自在に支持されるようになっている。
また、ダミーパターン９ｄを、１個または２個形成したもので説明したが３個でも良い。即ちダミ−パターン９ｄは、少なくとも１個あれば良い。
【図面の簡単な説明】
【００５１】
【図１】本発明に関するキーボードスイッチの平面図である。
【図２】図１の正面図である。
【図３】図１の右側面図である。
【図４】図１の斜視図である。
【図５】本発明に係わるキートップの上面図である。
【図６】図５の６−６断面図である。
【図７】図５の下面図である。
【図８】本発明に係わる第１リンク部材の平面図である。
【図９】図８の右側面図である。
【図１０】本発明に係わる第２リンク部材の平面図である。
【図１１】図１０の右側面図である。
【図１２】本発明に係わる第３リンク部材の平面図である。
【図１３】図１２の右側面図である。
【図１４】本発明に係わるダミーパターンを説明する平面図である。
【図１５】従来のキーボードスイッチの正面図である。
【図１６】従来のキーボードスイッチの要部断面平面図である。
【符号の説明】
【００５２】
１  本発明のキーボードスイッチ
２  キートップ
２ａ位置決め部
３  第１支持壁
３ａ  第１スライド支持部
３ｂ  第２スライド支持部
３ｃ  仕切壁
３ｄ  面取り部
４  第２支持壁
４ａ  第３スライド支持部
４ｂ  面取り部
５  第１リンク部材  
５ａ  上端部
５ｅ  第１軸部
５ｇ  下端部
５ｈ  第２軸部
６  第２リンク部材
６ａ  上端部
６ｅ  第１軸部
６ｇ  下端部
６ｈ  第２軸部
７  第２リンク部材
７ａ  上端部
７ｅ  第１軸部
７ｇ  下端部
７ｈ  第２軸部
８  弾性部材
８ａ  位置決め部
９  第１シート部材
９ａ  接点部（固定接点）
９ｂ  スリット部
９ｃ  回路パターン
９ｄ  ダミーパターン
９ｅ  逃げ孔
１０  第２シート部材
１０ａ  逃げ孔
１１  ベースプレート
１１ａ  第１支持部
１１ｂ  第２支持部
１１ｃ  第３支持部
【図１】
2005056643.tif 000003
【図２】
2005056643.tif 000004
【図３】
2005056643.tif 000005
【図４】
2005056643.tif 000006
【図５】
2005056643.tif 000007
【図６】
2005056643.tif 000008
【図７】
2005056643.tif 000009
【図８】
2005056643.tif 000010
【図９】
2005056643.tif 000011
【図１０】
2005056643.tif 000012
【図１１】
2005056643.tif 000013
【図１２】
2005056643.tif 000014
【図１３】
2005056643.tif 000015
【図１４】
2005056643.tif 000016
【図１５】
2005056643.tif 000017
【図１６】
2005056643.tif 000018